(57)【要約】【課題】アイドリングを自動停止する装置において、渋滞時、及び一時停止時に自動停止することがないエンジン制御装置を提供する。【解決手段】  所定速度以上で走行していることを条件として、シフトレバーがドライブ又はニュートラルであり、ブレーキがオンされ、車速が０となった後、所定時間（例えば、３秒）経過したことを条件に、アイドリングをストップする。但し、ウインカが作動している場合には、自動停止制御は、無効とされる。その後の始動は、ブレーキがオンされていることを条件として、シフトレバーがニュートラル位置に切り換えられた場合を条件とする。【選択図】図１
2006194141.tif 000002
【特許請求の範囲】
【請求項１】
エンジンの停止を制御するエンジン停止手段と、
自動変速装置のシフトレバーの位置を検出する変速状態検出手段と、
フットブレーキの踏み込みを検出する制動状態検出手段と、
車速を検出する車速検出手段と、
方向指示器の作動状態を検出するウインカー検出手段と、
経過時間を計る時間計測手段とを備え、
前記エンジン停止手段は、前記変速状態検出手段で検出された変速装置の状態がドライブ状態又はニュートラル状態であること、前記制動検出手段によりブレーキの踏込みが検出されていること、前記車速検出手段により車速ゼロが検出されていること、前記時間計測手段により車速がゼロとなってからのエンジン回転状態が所定時間以上継続していること、なる条件が全て満たされた場合に、エンジン停止を判定する停止判断手段と、
前記停止判断手段の停止判断に基づきエンジンを自動停止させる停止手段とを有し、
前記停止判断手段は、ウインカー検出手段により方向指示器の作動が検出されている場合にはエンジン停止判定をしないことを特徴とするエンジン制御装置。
【請求項２】
エンジン停止状態を検出するエンジン状態検出手段と、
エンジンの始動を制御するエンジン始動手段とを備え、
エンジン始動手段は、エンジン状態検出手段によってエンジンが停止状態であることが検出され、変速状態検出手段により変速状態がニュートラル状態へ切り替える動作が検出された場合に、エンジンの始動を行う請求項１に記載のエンジン制御装置。
【請求項３】
エンジンの停止を制御するエンジン停止手段と、
手動変速装置のシフトレバーの位置を検出する変速状態検出手段と、
フットブレーキの踏み込みを検出する制動検出手段と、
車速を検出する車速検出手段と、
方向指示器の作動状態を検出するウインカー検出手段と、
経過時間を計る時間計測手段とを備え、
前記停止判断手段は、前記変速状態検出手段で検出された変速装置の状態がニュートラル状態であること、前記制動検出手段によりブレーキの踏込みが検出されていること、前記車速検出手段により車速ゼロが検出されていること、前記時間計測手段により車速がゼロとなってからのエンジン回転状態が所定時間以上継続していること、なる条件が全て満たされた場合に、エンジン停止と判断する停止判断手段と、
前記停止判断手段の停止判断に基づきエンジンを自動停止させる停止手段とを有し、
前記停止判断手段は、ウインカー検出手段により方向指示器の作動が検出されている場合にはエンジン停止判定をしないことを特徴とするエンジン制御装置。
【発明の詳細な説明】
【技術分野】
【０００１】
この発明は、運転状況に応じて、エンジンを自動的に停止又は始動するエンジン制御装置に関するものである。
【背景技術】
【０００２】
従来、例えば、路線バスなどに代表される公的交通機関では、自動車の燃費の向上や、二酸化炭素・未燃ガスの排出の抑制などを目的として、車両の停止ととともに自動的にエンジンを停止させるアイドリングストップ装置が搭載されている車両がある。
【０００３】
このようなアイドリングストップ装置は、例えば、停止信号により車両が一時的に停止した場合、車両の停止を検知して、エンジンを停止させ、さらに、運転者によるイグニッションキーの始動操作に基づき、或は、特定の運転操作に基づきエンジンを始動させる装置である。  
このような従来のアイドリングストップ装置には、例えば以下に示す先行文献が存在する。
【特許文献１】特開平１１−１４１３６７号。
【特許文献２】特開２００３−１９３８７９号。
【発明の開示】
【発明が解決しようとする課題】
【０００４】
上記従来のアイドリングストップ装置では、走行状況に応じて作動の内容を変更することができない。  
例えば、信号待ちのために車両を停止させた場合には、１０数秒から数十秒の間車両を停止する必要があり、従来のアイドリングストップ装置は、このような状況を想定して作られている。しかしながら、渋滞時では、低速走行をしながら停止と発進を繰り返すこともあり、このような場合、停止する度にエンジンか止まっていては、かえって操作が面倒となる。従来では、このような場合には、アイドリングストップ装置のスイッチのオンとオフを繰り替えし操作しなければならない。
【０００５】
上記特許文献１では、停止後、ｔ秒経過後に停止と判断して、アイドリングをストップする構成が示されているが、これは、クラッチのない自動変速装置において、車両が停止したものと判定するための要素であり、渋滞時の走行状況を想定したものではない。また、渋滞時の走行は、アイドリング状態で車両を停止させている時間もまちまちであり、特許文献１に記載の構成では、渋滞時に車両を停止させると、アイドリングがストップされてしまうことが多くなり、停止と発進を繰り返す渋滞時の走行状況には適さない。
【０００６】
上記特許文献２では、自動変速装置のシフトレバーがドライブ位置にある場合には、車速がゼロとなるとも、アイドリングを停止させない構成となっている。この構成では、運転者がアイドリングの自動停止を欲しない場合には、シフトレバーをドライブ位置に固定しておけばよい。しかし、アドリングの自動停止装置は、停止操作が不要である点に、装置が設けられる意味があり、アイドリングを止めるために、その都度シフトレバーをニュートラル位置に入れていたのでは、自動停止させる意義が薄れてしまう。
【０００７】
一方、自動停止させたエンジンを再始動させる方式として、シフトレバーをＤレンジに移動させるとエンジンが始動するものや、フットブレーキから足を離すとエンジンが始動する方式がある。これらの方式では、始動時に、エンジンと駆動輪との間の動力伝達が繋がっている状態も有り得るので、不意に車両が発信する場合がある、といった安全上の問題点があった。特に、フットブレーキについては、サイドブレーキを掛けて、フットブレーキから足を離す操作をする運転者が多く、この様な場合には、運転者の意図に反してエンジンが始動してしまうこととなる。
【０００８】
交差路などにおいて、右折時、左折時においては、一時停止した後、進入する道路の車両の行き来を確認し、進入のタイミングを図って発進する。このような場合に、アイドリングが自動停止してしまっては、かえって発進操作が面倒となり好ましくない。
【０００９】
この発明の目的は、渋滞時に自動停止することがなく、また、交差路進入時には、エンジンの自動停止制御を行わないエンジン制御装置を提供することにある。
【課題を解決するための手段】
【００１０】
以上のような問題を解決する本発明は、以下のような構成を有する。  
（１）エンジンの停止を制御するエンジン停止手段と、
自動変速装置のシフトレバーの位置を検出する変速状態検出手段と、
フットブレーキの踏み込みを検出する制動状態検出手段と、
車速を検出する車速検出手段と、
方向指示器の作動状態を検出するウインカー検出手段と、
経過時間を計る時間計測手段とを備え、
前記エンジン停止手段は、前記変速状態検出手段で検出された変速装置の状態がドライブ状態又はニュートラル状態であること、前記制動検出手段によりブレーキの踏込みが検出されていること、前記車速検出手段により車速ゼロが検出されていること、前記時間計測手段により車速がゼロとなってからのエンジン回転状態が所定時間以上継続していること、なる条件が全て満たされた場合に、エンジン停止を判定する停止判断手段と、
前記停止判断手段の停止判断に基づきエンジンを自動停止させる停止手段とを有し、
前記停止判断手段は、ウインカー検出手段により方向指示器の作動が検出されている場合にはエンジン停止判定をしないことを特徴とするエンジン制御装置。
【００１１】
（２）  エンジン停止状態を検出するエンジン状態検出手段と、
エンジンの始動を制御するエンジン始動手段とを備え、
エンジン始動手段は、エンジン状態検出手段によってエンジンが停止状態であることが検出され、変速状態検出手段により変速状態がニュートラル状態へ切り替える動作が検出された場合に、エンジンの始動を行う上記（１）に記載のエンジン制御装置。
【００１２】
（３）  エンジンの停止を制御するエンジン停止手段と、
手動変速装置のシフトレバーの位置を検出する変速状態検出手段と、
フットブレーキの踏み込みを検出する制動検出手段と、
車速を検出する車速検出手段と、
方向指示器の作動状態を検出するウインカー検出手段と、
経過時間を計る時間計測手段とを備え、
前記停止判断手段は、前記変速状態検出手段で検出された変速装置の状態がニュートラル状態であること、前記制動検出手段によりブレーキの踏込みが検出されていること、前記車速検出手段により車速ゼロが検出されていること、前記時間計測手段により車速がゼロとなってからのエンジン回転状態が所定時間以上継続していること、なる条件が全て満たされた場合に、エンジン停止と判断する停止判断手段と、
前記停止判断手段の停止判断に基づきエンジンを自動停止させる停止手段とを有し、
前記停止判断手段は、ウインカー検出手段により方向指示器の作動が検出されている場合にはエンジン停止判定をしないことを特徴とするエンジン制御装置。
【発明の効果】
【００１３】
請求項１に記載の発明によれば、車速がゼロとなってから、所定時間経過するまでは、エンジン停止とはならないので、例えば渋滞時にエンジンが停止することが抑制される。また、渋滞時等であっても、ウインカーが使用されている場合には、直ぐに発進することが予想されるので、エンジンの停止制御は、解除される。
【００１４】
請求項２に記載の発明によれば、変速装置がニュートラル状態に切り替えられた時に、エンジンの始動が行われるので、動力が不意に駆動輪に伝達されることがなく、安全である。また、変速レバーの切換操作をトリガーとしてエンジンの始動が行われるので、運転者の意思に合致したタイミングでエンジンの始動がなされ、運転者の意に反して不意にエンジンが始動するといった不都合がなく、安全性が向上する。
【００１５】
請求項３に記載の発明によれば、車速がゼロとなってから、所定時間経過するまでは、エンジン停止とはならないので、渋滞時にエンジンが停止することが抑制される。また、渋滞時等であっても、ウインカーが使用されている場合には、直ぐに発進することが予想されるので、エンジンの停止制御は、解除される。
【発明を実施するための最良の形態】
【００１６】
以下本発明の好適実施形態について、添付図面に基づいて詳細に説明する。本発明のエンジン制御装置１は、自動車のエンジンを制御する制御系回路に装着され、エンジンのアイドリングを停止及び始動を制御する制御装置である。
【００１７】
図１は、自動車のエンジン制御系回路の構成を示すブロック図である。図２は、エンジン制御装置１の構成を示すブロック図である。エンジン制御装置１は、制御部１０とリレー２０を備え、制御部１０には、制御部１０には、車速検出手段としての速度検出部Ｓ１、制動状態検出手段であるブレーキ検出部Ｓ２、エンジン状態検出手段としてのエンジン状態検出部Ｓ３、変速状態検出手段としてのシフトレバー状態検出部Ｓ４、クラッチ検出手段であるクラッチセンサＳ５、バッテリー検出手段であるバッテリセンサＳ６、ウインカー検出手段Ｓ８、勾配センサＳ７からの信号が供給され、入力装置１６からの選択信号が供給される。速度検出部Ｓ１は、車速を検出する。ブレーキ検出部Ｓ２は、ブレーキが踏み込まれたか、踏み込まれていないかを検出する。
【００１８】
エンジン状態検出部Ｓ３は、エンジンが駆動状態か、停止ていしている状態かを検出する。この実施形態では、オルタネータの駆動の有無を検出し、オルタネータが駆動している場合には、エンジンが駆動状態であり、オルタネータが停止している場合には、エンジンは停止状態とされる。他の方法により、エンジンの状態を検出してもよい。シフトレバー状態検出部Ｓ４は、シフトレバーの位置が、ニュートラル位置（Ｎ）であるか、ドライブ位置（Ｄ）であるか、又はそれ以外の位置であるか、を検出する。入力装置１６は、或は、車速０となってから、エンジンを停止させるまでの時間（エンジン回転時間）の設定時間を変更するため、及び通常の走行状態であるか否かを判断する所定速度（速度閾値）を変更するために用いるられる。例えば、エンジン回転時間を３秒、４秒、５秒の中から選択する切換スイッチ、また、速度閾値を、１０ｋｍ/ｈ、１５ｋｍ/ｈ、２０ｋｍ/ｈの中から選択する切換スイッチなどを備える。
【００１９】
クラッチセンサＳ５は、クラッチが、繋がっている状態か、切られている状態かを検出する。具体的には、タッチセンサなどによりクラッチペダルの位置（クラッチが踏み込まれた位置と、踏み込まれていない位置）を検出することにより、クラッチの状態を検出する。バッテリセンサＳ６は、バッテリー残量を検出する。クラッチペダル位置を検出するセンサを用いることにより、既存の自動車に対する後付けが容易となる。ブレーキ検出部Ｓ２についても、フットブレーキのブレーキペダルの位置を直接検出するセンサを設け、クラッチセンサと同様の検出センサを用いてもよい。なお、ブレーキ検出部Ｓ２は、通常フットブレーキの踏み込みによりテールランプがオンされる回路を有しており、このような回路から電圧や信号等を検出して、ブレーキの踏み込みを検出する構成とすることができる。  
ウインカーセンサＳ８は、方向指示器の作動状態を検出し、方向指示器が作動している場合には、検出信号を出力する。勾配センサＳ７は、車両の前後方向の傾き、即ち道の勾配を検出し、勾配を担持した信号を出力する。
【００２０】
これらの検出部から、制御部１０に対して、次の信号が供給される。速度検出部Ｓ１からは、車速を値を示す信号、ブレーキ検出部Ｓ２からは、ブレーキのペダルが踏み込まれているか否かを示すオン／オフを示す信号、エンジン状態検出部Ｓ３からは、エンジンの駆動の有無を示すオン／オフを示す信号、シフトレバー状態検出部Ｓ４からは、シフトレバーがニュートラル位置にあることを検出した信号、及びドライブ位置にあることを検出した信号、クラッチセンサＳ５からは、クラッチの入／切状態を示す信号、バッテリセンサＳ６からは、バッテリーの残量を示す信号が、それぞれ供給される。入力装置１６からは、エンジン回転時間選択信号や閾値速度選択信号が供給される。
【００２１】
尚、シフトレバー状態検出部Ｓ４からは、２つの信号線が接続され、１本目Ｌ１からは、シフトレバーがＮ位置であることを検出する信号が、２本目Ｌ２からは、シフトレバーがドライブ位置であることを検出信号が供給される。そして、本発明のエンジン制御装置１を、手動変速装置を搭載した自動車に搭載する場合には、Ｌ２の信号線は、クラッチの解放状態を検出するクラッチセンサＳ５に接続され、クラッチが切り状態であることを示す信号が、Ｌ１の信号線からは、シフトレバーがニュートラル位置であることを示す信号がそれぞれ供給される。ウインカーセンサＳ８からはウインカー検出信号供給され、勾配センサＳ７からは、勾配値を示す信号が供給される。
【００２２】
また、制御部１０は、エンジン制御出力部１３に制御信号を供給し、エンジンの停止と、始動を制御する。具体的には、リレー２０に信号を供給することにより、エンジン停止時には、エンジン制御出力部１３への通電を遮断して、電子制御燃料噴射装置による燃料噴射を止め、エンジンを停止する。また、エンジン始動時には、電子制御燃料噴射装置による燃料噴射を開始するとともに、スターターリレー３３を介して、エンジン３のスターターモータ３１を駆動させ、エンジン始動させる。
【００２３】
このような動作を行う、制御部１０及びリレー２０によりエンジン停止手段が構成され、制御部１０、リレー２０及びスターターリレー３３により、エンジン始動手段が構成される。  
さらに、ＬＥＤ出力部１４に信号を供給し、報知手段であるＬＥＤを点灯させることにより、運転者に停止から所定時間経過したことを報知する。この所定時間は、例えば、信号の赤が点灯している時間を目安に設定される。赤信号で停止する時間が経過すると、その旨を運転者に報知するものである。バッテリー５の消耗を防ぐためである。この所定時間は、エアコン、ワイパー、ヘッドライト等の他の電力消耗機器を駆動させている場合には、それに応じて短くする設定としてもよい。
【００２４】
報知手段は、ＬＥＤの点灯など、視覚への刺激により報知する手段の他、ブザーや音声など発して聴覚への刺激により報知する構成とすることもできる。  
タイマー処理部１５へは、計測開始信号を供給し、また、タイマー処理部１５からは、経過時間に関する信号を取得する。  
エンジン制御装置１は、イグニッションスイッチ４とエンジン制御出力部１３とを繋ぐ配線に設けられたコネクタ５１、５２にそれぞれ接続されるコネクタ１７１、１７２を有する。コネクタ５１には、コネクタ１７１が接続され、コネクタ５２にはコネクタ１７２が接続される。これにより、エンジン制御装置１は、既存の自動車に対して後付けが可能となる。
【００２５】
以上のように構成されたエンジン制御装置１の作用について説明する。図３は、自動変速装置を搭載した車両に取り付けられた本発明のエンジン制御装置１のエンジン停止動作を示すフローチャートである。  
勾配センサＳ７からの検出値に基づき、車両が勾配のある場所（坂道など）に位置しているか否かを判断する（ステップＳ１００）。勾配のある場所に位置する場合には、以下の制御は行わず、システムが作動しないことを示す表示ランプが点灯する。坂道に車両が位置している状態では、車体に下り方向へ重力が加わっていることとなり、エンジンを自動停止するにはそぐわないからである。勾配のある場所に位置していない場合には、次のステップを実行する。このステップＳ１００で、勾配検出手段か構成される。
【００２６】
ウインカーセンサＳ８からの信号に基づき、方向指示器が作動しているか否かを判断する（ステップＳ１０１）。作動している場合には、例え停止している場合であっても、車両が左右何れかの方向に進行する直前であることを意味しているので、アイドリングを停止する状況ではなく、発進に備えてアイドリング状態を確保するため、次のステップに進まずに、フローの最初にリターンされる。
【００２７】
次に、速度検出部Ｓ１から供給される信号に基づき、予め定められた所定速度以上であるか判断する（ステップＳ１０２）。この速度は、この実施形態では、１０ｋｍ/ｈであるが、この閾値は、入力装置１６により、適宜変更可能である。
【００２８】
車速が１０ｋｍ/ｈ以上でない場合には、通常の走行状態でない可能性があるので、さらに、予め定められた所定時間継続して１０ｋｍ/ｈ以下であるか判断する（ステップＳ１０３）。この実施形態では、所定時間は、２０秒間である。２０秒間継続して１０ｋｍ/ｈ以下である場合には、駐車場への入退場時や車庫入れ時など、低速で継続して移動する必要がある状況であると判断し、ステップＳ１０２にリターンされ、アイドリングストップ（エンジン停止）動作は行われない。従って、低速で移動時に停止した場合には、エンジンは自動停止せず、車両操舵を継続することができる。
【００２９】
２０秒間継続して１０ｋｍ/ｈ以下でない場合には、イグニッションキーの手動操作によりエンジンが始動されてから継続して速度が１０ｋｍ/ｈ以下であるか判断する（ステップＳ１０５）。１０ｋｍ/ｈ以下である場合には、発進してから間もない状態であると判断し、ステップＳ１０２にリターンされ、アイドリングストップ動作は行われない。このような場合にも、エンジンを手動始動させて発進する場合には、駐車場から出る状況にあるなど、アイドリングストップにはそぐわない場合が多いので、エンジンを自動停止させない。
【００３０】
ステップＳ１０２で、１０ｋｍ/ｈ以上と判断された場合には、シフトレバー状態検出部Ｓ４からの検出信号に基づき、シフトレバーがニュートラル位置であるか、又はドライブ位置であるか判断する。ニュートラル位置でもドライブ位置でもない場合には、他のレンジにシフトレバーが位置しているのであり、アイドリングの自動停止にはそぐわない状況にあるものと判断し、次のステップへは進まない。
【００３１】
シフトレバーがニュートラル位置又はドライブ位置である場合には、ブレーキがオンされたか判断する（ステップＳ１０９）。ブレーキがオンされていない場合には、運転者は制動の意思がないと判断され、エンジンを停止する状態ではないから、次のステップには進まない。
【００３２】
ブレーキがオンされたことにより、運転者に制動の意思があるものと判断し、車速が０ｋｍ/ｈに到達したか判断する（ステップＳ１１１）。車速が０ｋｍ/ｈに到達していない場合には、いまだ車両は進行状態であると判断され、アイドリング状態とはなっていないので、次のステップには進まない。
【００３３】
車速が０ｋｍ/ｈに到達している場合には、エンジンを停止して良い状態であると判断し、タイマー処理部１５に計測開始を指示する。そして、車速が０ｋｍ/ｈに到達してから所定時間経過したか判断する（ステップＳ１１３）。この一定時間は予め設定されており、この実施形態では、３秒である。
【００３４】
この３秒の計測は、タイマー処理部１５により計測される。３秒経過せずに、発進する（車速が０ｋｍ/ｈを越える）場合は、渋滞の中を走行中であると判断し、アイドリングストップにはそぐわない状況であるので、エンジン停止は行わない。上記ステップＳ１０１〜Ｓ１１３のステップによって、停止判断手段が構成される。  
また、３秒経過した場合には、エンジン停止を実行する（ステップＳ１１５）。このステップＳ１１５により、停止手段が構成される。
【００３５】
この車速０ｋｍ/ｈとなってから計測さるアイドリング時間（アイドリングをしている時間）の３秒は、適宜設定変更できる構成としてもよい。所定時間以内に車速０ｋｍ/ｈとなった回数をカウントし、回数の数に応じてアイドリング時間を変更してもよい。例えば、回数が増える従って、アイドリング時間を延長する。車速０ｋｍ/ｈとなる頻度が多いということは、それに応じて道路が混雑していることを意味するので、アイドリング時間を長く設定することで、渋滞時の発進と停止を円滑に繰り返すことができる。この回数が閾値を越えた場合には、駐車場へ入退場や、車庫入れ等の、渋滞とは異なる状況であると判断し、エンジン自動停止を行わない構成としてもよい。或は、操舵角度センサを設け、このセンサにより検出した操舵角度が予め定められた角度以上に達した場合には、車庫入れ、又は駐車操作であると判断し、エンジンの自動停止を行わない構成としてもよい。或は、操舵角度の変化を検出し、車両が所定距離を移動する間に、ハンドルの切り替えし数が、所定回数以上行われた場合（例えば、５ｍ移動する間に３回以上行われた場合）にも、同様に、車庫入れ、又は駐車操作であると判断し、エンジンの自動停止を行わない構成としてもよい。
【００３６】
なお、ステップＳ１１１で、図４に示されているように、速度時間線図Ｍ1の傾きを検出し、傾きの絶対値が予め定められた閾値より大きい場合には、急ブレーキであると判断し、エンジン停止を行わない構成としてもよい。
【００３７】
図４に示されている曲線Ｍ２は、１０ｋｍ/ｈ以下が２０秒以上継続した場合には、停止後３秒経過するも、エンジン停止動作は行われない。また、同図で、曲線Ｍ０１では、停止（０ｋｍ/ｈ）以上後、３秒以内に発進した場合には、エンジンは止まらずＭ０２、その後停止、３秒経過した時点でエンジン停止となる。
【００３８】
曲線Ｍ０３は、その後自動始動ルーチンによって始動した場合を示すものである。
【００３９】
図５は、エンジン自動始動動作を示すフローチャートである。図３に示される動作によって、自動停止された後、エンジンを始動させる場合には、イグニッションキーをオンし、手動で始動する場合の他、所定の条件のもと、エンジンを自動的に始動させることができる。
【００４０】
オルタネータが駆動しているか否かを判断する（ステップＳ２０１）。オルタネータの駆動は、エンジンの駆動を意味しており、駆動しているエンジンに始動動作を掛けることを防止するためである。オルタネータがオフでない場合には、その後のステップは実行しない。オルタネータがオフである場合には、ブレーキがオンされているか判断する（ステップＳ２０３）。ブレーキがオンされていない状態で、エンジンを始動すると、駆動力が車輪に伝わった場合に、不意の発進が起こる恐れがあるので、ブレーキオンを、エンジン始動の条件とする。従って、ブレーキがオンされていない場合には、次ぎのステップは実行しない。
【００４１】
ブレーキがオンされている場合には、シフトレバーがドライブ位置からニュートラル位置への切り替えが行われたか判断する（ステップS２０５）。このような切り替え動作が検出された場合に、エンジンが始動される（ステップＳ２０７）。このステップＳ２０７によりエンジン始動手段が構成される。
【００４２】
シフトレバーがニュートラル位置であれば、エンジンの駆動力が駆動輪に伝達されないので、不意の発進が起こる恐れがなくなり、また、ニュートラル位置に切り換えるという操作をエンジン始動のトリガーとするので、誤ってブレーキを踏んでしまうなどの誤操作により、運転者の意に反してエンジンが始動してしまうなどのトラブルが防止される。ステップＳ２０５における判断は、単にシフトレバーがニュートラル位置（Ｎ位置）にあることを検出するのではなく、シフトレバーが他の位置からニュートラル位置に切り替える操作が行われたか否かを検出するものである。換言すると、シフトレバーのニュートラル位置を検出するセンサが、非検出状態から検出状態に切り替わったか否かを判断する。つまり、ブレーキオンの時に、シフトレバーがニュートラル位置である場合には、エンジンの始動は行われない。この場合には、一度、ニュートラル位置以外の位置（例えば、ドライブ位置、Ｒ位置など）にシフトレバーを移動させた後、改めてニュートラル位置にシフトレバーを移動させる。これにより、ステップＳ２０５は、次のステップＳ２０７を実行する。
【００４３】
このステップＳ２０５により、運転車の明確な始動の意思に基づき、エンジン始動がされることとなる。このような操作により、「エンジンを始動させる」という明確な意思を運転者に確認することとなる。
【００４４】
手動変速装置を搭載した車両に本発明のエンジン制御装置１を搭載した場合のエンジン停止動作について、図６に示されているフローチャートに基づき説明する。
【００４５】
設定スイッチ状態検出部１２により、設定スイッチが「Ｍ/Ｔ車」に設定されていることを検出された場合に、以下の動作が実行される。以下の説明で特に説明されていない構成は、上記ＡＴ車の場合と同様の構成とする。
【００４６】
勾配センサＳ７からの検出値に基づき、車両が勾配のある場所（坂道など）に位置しているか否かを判断する（ステップＳ３００）。勾配のある場所に位置する場合には、以下の制御は行わず、システムが作動しないことを示す表示ランプが点灯する。坂道に車両が位置している状態では、車体に下り方向へ重力が加わっていることとなり、エンジンを自動停止するにはそぐわないからである。勾配のある場所に位置していない場合には、次のステップを実行する。このステップＳ３００で、勾配検出手段か構成される。
【００４７】
ウインカーセンサＳ８からの信号に基づき、方向指示器が作動しているか否かを判断する（ステップＳ３０１）。作動している場合には、例え停止している場合であっても、車両が左右何れかの方向に進行する直前であることを意味しているので、アイドリングを停止する状況ではなく、発進に備えてアイドリング状態を確保するため、次のステップに進まずに、フローの最初にリターンされる。
【００４８】
速度検出部Ｓ１から供給される信号に基づき、車速が１０ｋｍ/ｈ以上であるか判断する（ステップＳ３０２）。このステップＳ３０２により、車速取得手段が構成される。上記実施形態と同様に低速走行であるか否かの判断速度を１０ｋｍ/ｈとしている。車速が１０ｋｍ/ｈ以上でない場合には、通常の走行状態でない可能性があるので、さらに、所定時間継続して１０ｋｍ/ｈ以下であるか判断する（ステップＳ３０３）。所定時間は、２０秒間である。２０秒間継続して１０ｋｍ/ｈ以下である場合には、駐車場への入退場時や車庫入れ時など、低速で継続して移動する必要がある状況であると判断し、ステップＳ３０２にリターンされ、アイドリングストップ（エンジン停止）動作は行われない。従って、低速で移動時に停止した場合には、エンジンは自動停止せず、車両操舵を継続することができる。
【００４９】
２０秒間継続して１０ｋｍ/ｈ以下でない場合には、イグニッションキーの手動操作によりエンジンが始動されてから継続して速度が１０ｋｍ/ｈ以下であるか判断する（ステップＳ３０５）。１０ｋｍ/ｈ以下である場合には、発進してから間もない状態であると判断し、ステップＳ３０２にリターンされ、アイドリングストップ動作は行われない。このような場合にも、エンジンを手動始動させて発進する場合には、駐車場から出る状況にあるなど、アイドリングストップにはそぐわない場合が多いので、エンジンを自動停止させない。車速が１０ｋｍ/ｈ以下であっても、２０秒間継続して１０ｋｍ/ｈ以下でなく、かつ手動による始動から継続して１０ｋｍ/ｈ以下でない場合には、後述するステップＳ３０７を実行する。
【００５０】
なお、この実施形態では、所定時間の速度を測ることにより、アイドリングストップに適した状態か否かを判断しているが、この他、クラッチのオンオフ切替の頻度などを検出して、所定の頻度以上である場合（例えば、１５秒でクラッチのオンオフを３回以上繰り返す場合など）には、低速で走行する必要がある場合と判断し、アイドリングストップを行わない構成としてもよい。
【００５１】
ステップＳ３０２で、１０ｋｍ/ｈ以上と判断された場合には、ブレーキがオンされたか判断する（ステップＳ３０７）。ステップＳ３０７によってブレーキ信号取得手段が構成される。ブレーキがオンされていない場合には、運転者は制動の意思がないと判断され、エンジンを停止する状態ではないから、次のステップには進まない。ブレーキがオンされたことにより、運転者に制動の意思があるものと判断し、車速が０ｋｍ/ｈに到達したか判断する（ステップＳ３０９）。車速が０ｋｍ/ｈに到達していない場合には、いまだ車両は進行状態であると判断され、アイドリング状態とはなっていないので、次のステップには進まない。
【００５２】
車速が０ｋｍ/ｈに到達している場合には、エンジンを停止して良い状態であると判断し、タイマ処理部１５に計測開始を指示する。そして、車速が０ｋｍ/ｈに到達してから所定時間経過したか判断する（ステップS３１１）。この一定時間は予め設定されており、この実施形態では、３秒である。上記ステップＳ３０１〜Ｓ３１１によって、停止判断手段が構成される。
【００５３】
この３秒の計測は、タイマ処理部１５により計測される。３秒経過せずに、発進する（車速が０ｋｍ/ｈを越える）場合は、渋滞の中を走行中であると判断し、アイドリングストップにはそぐわない状況であるので、エンジン停止は行わない。また、３秒経過した場合には、エンジン停止を実行する（ステップＳ３１３）。また、クラッチがオフからオンに切り替わった時点で、３秒の計測をキャンセル構成としてもよい。ステップＳ３１３によりって停止手段か構成される。
【００５４】
図７は、エンジン自動始動動作を示すフローチャートである。図６に示される動作によって、自動停止された後、エンジンを始動させる場合には、以下に説明する所定の条件のもと、エンジンを自動的に始動させることができる。
【００５５】
オルタネータが駆動しているか否かを判断する（ステップＳ４０１）。オルタネータの駆動は、エンジンの駆動を意味しており、駆動しているエンジンに始動動作を掛けることを防止するためである。オルタネータがオフでない場合には、その後のステップは実行しない。オルタネータがオフである場合には、シフトレバーがニュートラル位置にあるか判断する（ステップＳ４０３）。シフレバーがニュートラル位置にない状態で、エンジンを始動すると、駆動力が車輪に伝わる可能性があるため、ニュートラル位置であることを条件とする。従って、シフレバーがニュートラル位置にない場合には、次ぎのステップは実行しない。なお、このステップＳ４０３は、省略してもよい。クラッチが切り状態であれば、駆動力が車輪に伝わることを防止できるからである。
【００５６】
シフトレバーがニュートラル位置にある場合には、クラッチペダルが踏み込まれたか判断する（ステップＳ４０５）。踏み込みがあった場合には、エンジンを始動する（ステップＳ４０７）。このステップＳ４０７によってエンジン始動手段が構成される。
【００５７】
クラッチペダルが踏み込み、又は、シフトレバーのニュートラル位置は、エンジン始動時に、動力を駆動輪に伝わらせないために必要な条件であるとともに、クラッチペダルの踏み込みは、エンジン始動時に行われる動作である。このため、クラッチペダルのオン操作（クラッチを開放する動作）は、エンジン始動を開始する意思表示であると見なすことができるので、クラッチペダルのオンによりエンジン始動のトリガーとする。
【００５８】
以上説明した実施形態において、ステップＳ１１３とＳ３１１における計測時間Ｔｓ（３秒）は、低速走行（１０ｋｍ/ｈ以下）をしている時間に応じて変更される構成としてもよい。例えば、低速走行時間Ｔlowに対する一定の割合の時間αt（例えば、５％（αt＝０．０５））を、停止してからアイドリングが自動停止させるまでの時間Ｔｓ（＝Ｔlow・αt）と設定することもできる。
【００５９】
また、エンジンを自動停止させた後、一定の時間を経過した時に、報知手段であるＬＥＤ出力部１４において、ＬＥＤを点灯させ、運転者にエンジン始動を促す構成とすることもできる。このように報知することによって、バッテリーの消耗を抑制することができる。報知手段としては、ＬＥＤの点灯などの視覚的刺激による報知のほか、ブザー、音声などによる聴覚的な刺激による報知装置を用いることもできる。報知するまでの時間は、例えば、信号が赤に変わってから、青に変わるまでの時間（約４０〜５０秒程度）に設定する。或は、時間で設定することなく、バッテリセンサから供給される値に基づき、バッテリー残量が所定の値以下になった場合に報知する構成としてもよい。具体的には、バッテリーの出力（電圧）が、フル充電時の８０パーセント以下と成った場合に報知する構成としてもよい。また、バッテリー残量の検出に基づいて、エンジン停止を行わないとする制御動作を実行する構成としてもよい。この場合には、例えば、ステップＳ１０２やＳ３０２を実行する前後に、バッテリーの出力を検出するステップを設け、バッテリー残量が所定の値より小さい場合には、その後のエンジン停止フローチャートは実行しない構成とする。
【００６０】
なお、手動モードを選択した場合には、ステップＳ１１３及びステップＳ３１１の代りに、手動スイッチオンを検出したか？を判断するステップを設け、スイッチオンである場合には、次のエンジン停止ステップ（ステップＳ１１５又はＳ３１３）を実行する。スイッチオンを検出しない場合には、ステップＳ１０７又はＳ３０７にリターンされる。
【００６１】
上記実施形態は、以下の構成を開示するものである。  
自動車のエンジン制御回路に接続されるエンジン制御装置であって、
エンジンの停止を制御するエンジン停止手段と、
ブレーキの踏込みを検出したブレーキ検出信号を取得するブレーキ信号取得手段と、
車速を検出する車速取得手段と、
検出信号を取得する検出信号取得手段とを備え、
検出信号取得手段は、自動変速装置のシフトレバー位置がニュートラル位置又はドライブ位置の少なくとも一つを検出する検出信号又はクラッチの接続状態を検出する検出信号のいずれか一方を取得し、
エンジン停止手段は、ブレーキが踏込まれていること、車速が０であること、及び検出信号取得手段が信号を取得していることの３条件が満たされたときにエンジンを自動停止することを特徴とするエンジン制御装置。
【図面の簡単な説明】
【００６２】
【図１】自動車のエンジン制御系回路の構成を示すブロック図である。
【図２】エンジン制御装置の構成を示すブロック図である。
【図３】エンジン停止動作を示すフローチャートである。
【図４】停止時の速度時間相関線図を表すグラフである。
【図５】エンジン始動動作を示すフローチャートである。
【図６】エンジン停止動作を示すフローチャートである。
【図７】エンジン始動動作を示すフローチャートである。
【符号の説明】
【００６３】
１    エンジン制御装置
１０  制御部
２０  リレー
３    エンジン
Ｓ１  速度検出部
Ｓ２  ブレーキ検出部
Ｓ３  エンジン状態検出部
Ｓ４  シフトレバー／クラッチ検出部
【図１】
2006194141.tif 000003
【図２】
2006194141.tif 000004
【図３】
2006194141.tif 000005
【図４】
2006194141.tif 000006
【図５】
2006194141.tif 000007
【図６】
2006194141.tif 000008
【図７】
2006194141.tif 000009